(57)【要約】【目的】ベルクロストッパー付き靴ひも式靴を履く時に、ベルクロテープを固着させたストラップが結紐の障害になるのを防止する。【解決手段】ストラップ５の一方の端部６の裏面に第１のベルクロテープ７を固着し、ストラップ５の他方の端部８の裏面に第２のベルクロテープ９を固着し、内側甲皮４の任意の箇所に固着し、紐１０を結紐する際に、第１のベルクロテープ７と第２のベルクロテープ９を契合してベルクロテープ付きストラップ５の長さを約半分に固定する。【選択図】図１
2005103205.tif 000002
【特許請求の範囲】
【請求項１】
主として靴底２と、外側甲皮３と、内側甲皮４とを備えた靴ひも式靴であって、内側甲皮４の任意の箇所に所定の幅の細長のストラップ５の一方の端部６を固着し、ストラップ５の一方の端部６の裏面に第１のベルクロテープ７を固着し、ストラップ５の他方の端部８の裏面に第２のベルクロテープ９を固着し、紐１０を結紐する際に、第１のベルクロテープ７と第２のベルクロテープ９を契合してベルクロテープ付きストラップ５の長さを約半分に固定して、紐１０を結紐する際の障害になるのを防止したことを特徴とする靴。
【請求項２】
第２のベルクロテープ９と契合するベルクロテープ１１を、外側甲皮３と同じ材料または異なる材料から成る腰１４に固着したことを特徴とする請求項１に記載した靴。
【請求項３】
ハイカットタイプの靴である請求項１または２に記載した靴。
【請求項４】
さらに、内側甲皮４に、裏面の一方の端部に第１のベルクロテープと、他方の端部に第２のベルクロテープを固着したストラップ５’固着した請求項３に記載した靴。
【発明の詳細な説明】
【特許請求の範囲】
【発明の詳細な説明】
【産業上の利用分野】
【０００１】  本発明は、ベルクロストッパー付き靴に関する。より詳細に述べると、本発明は、主として靴底と甲皮とを備えた靴ひも式靴の内側甲皮から外側甲皮に着脱可能に取り付けたベルクロストッパーの構造を改良した靴に関する。
【０００２】  本発明で使用する用語「内側甲皮」とは、足の土踏まず側に位置する甲皮の意味である。従って、本発明で使用する用語「外側甲皮」とは、足の土踏まず側と反対側に位置する甲皮の意味である。
【０００３】  近年、主として靴底と甲皮とを備えた靴ひも式靴の内側甲皮に、所定の幅の細長のストラップを固定し、前記ストラップの先端裏面に第１のベルクロテープを取付け、第１のベルクロテープに対応する外側甲皮に第２のベルクロテープを取付けて、第１及び第２のベルクロテープ同志を着脱可能に契合するタイプのベルクロストッパー付き靴ひも式靴が開発されている。
【０００４】  このタイプのベルクロストッパー付き靴ひも式靴を履くときは、先ず靴ひもを結紐し、次いで、内側甲皮に取付けたストラップの先端裏面に取付けた第１のベルクロテープと、第１のベルクロテープに対応する外側甲皮に取付けた第２のベルクロテープ同志を着脱可能に契合する。
【０００５】  ベルクロストッパー付き靴ひも式靴は、靴ひもと、ベルクロテープ同志の契合による２種類の異なった固定方法で足を固定することができるので、たとえば、オートバイ乗車、激しい運動、長時間の運動或いは歩行等厳しい使用環境で使用できる。
【０００６】  図３は、左足用ベルクロストッパー付き靴ひも式靴の１例を示す斜視図である。ベルクロストッパー付き靴ひも式靴１は、主として靴底２と外側甲皮３と、内側甲皮（図示せず）から構成されている。外側甲皮３には、甲皮３の補強と意匠を兼ねた腰１１が取付けてある。腰４は外側甲皮３と同じ材料でも、異なる材料でもよく、鳩目脇１２と連続している。
【０００７】  内側甲皮（図示せず）の任意の位置に、所定幅で細長のストラップ５の一方の端部（図示せず）が固着されている。ストラップ５の他方の端部８の裏面にはベルクロテープ（図示せず）が固着されている。ストラップ５の端部８の裏面に固着したベルクロテープに対応する箇所にベルクロテープ１１が固着されていて、ストラップ５の端部８の裏面に固着したベルクロテープと、外側甲皮３に固着したベルクロテープ１１同志が契合するようになっている。１３は靴ひもである。
【０００８】  ところで、図２に示したようなベルクロストッパー付き靴ひも式靴１を履くときは、先ず、裏面にベルクロテープが固着されているストラップ５をできるだけ内側甲皮側に寄せて手の平で押さえるようにして、靴ひも１３を結紐しなければならなっかた。即ち、靴ひも１３を結紐する時は、裏面にベルクロテープが固着されているストラップ５が障害になっていた。
【０００９】  図４は、従来のベルクロストッパー付き靴ひも式靴の要部拡大図である。
内側甲皮４の所定の箇所に、所定幅で細長のストラップ５の一方の端部６が固着されている。ストラップ５の他方の端部８の裏面にはベルクロテープ９が固着されている。靴ひも１３を結紐した後、ベルクロテープ９を、外側甲皮３の所定の箇所に固着したベルクロテープ（図示せず）と契合させるようになっている。
【００１０】  然しながら、この従来の靴の場合、靴紐１３を結紐する場合、ベルクロテープ９を固着させたストラップ５が邪魔になり、右手でストラップ５を押さえながら結紐しなければならなかった。
【発明が解決しようとする課題】
【００１２】  したがって、発明が解決しようとする課題は、ベルクロストッパー付き靴ひも式靴を履く場合、結紐する際に、ベルクロテープを固着させたストラップが邪魔になるのを防止することである。
【課題を解決するための手段】
【００１３】  課題を解決するための手段は、ベルクロストッパー付き靴ひも式靴において、ベルクロテープを固着させるストラップの裏面の両端にベルクロテープを固着させ、結紐する際は、両端のベルクロテープを契合させ、跳ね上がるのを防止することである。
【発明の好ましい実施の形態】
【００１４】  以下、本発明の好ましい実施の形態を図１を参照して説明する。
図１において、靴の内側甲皮４の所定の箇所に、所定幅で細長のストラップ５の一方の端部４が固着されている。他方の端部８の裏面にはベルクロテープ９が固着されている。
【００１５】  ストラップ５の端部６の裏面にもベルクロテープ７が固着されている。また、外側甲皮３において、ベルクロテープ９が対応する箇所にベルクロテープ（図示せず）が固着されていて、ベルクロテープ９とベルクロテープ（図示せず）同志が契合するようになっている。
【００１６】  図２は靴紐９を結紐する時の状態を示す要部拡大図である。靴紐１０を結紐する場合、先ず、ストラップ５の端部８の裏面に固着されているベルクロテープ９と、ストラップ５の端部６の裏面に固着されているベルクロテープ７を契合して図２に示すように約半分に折り畳んで固定する。そのことにより、靴紐１０を結紐する際、ストラップ５が半分に固定されるので邪魔にならない。
【００１７】  本発明の別の実施の形態として、第２のベルクロテープ９と契合するベルクロテープ１１を、外側甲皮３と同じ材料または異なる材料から成る腰１４に固着してもよい。この別の実施の形態により、第２のベルクロテープ９と契合するベルクロテープ１１を、甲皮の補強効果を持つ腰に固着するので、ベルクロテープを繰り返し契合、解除しても耐久性が維持される。
【００１８】  本発明の別の実施の形態として、靴をハイカットタイプにすることができる。ハイカットタイプの靴にすることにより、オートバイ乗車、運動、長時間の走行、歩行等激しい運動に使用する靴にも応用できる。
【００１９】  本発明の別の実施の形態として、裏面の一方の端部に第１のベルクロテープと、他方の端部に第２のベルクロテープを固着したストラップ５’をハイカットタイプの靴の内側甲皮４に固着することができる。
【００２０】  ハイカットタイプの靴に、ベルクロテープ付きストラップを２本取り付けたので、靴紐による締結と、２本のベルクロテープ付きストラップによる締結により、ハイカットタイプの靴でも足に確実に固定することができ、オートバイ乗車、運動、長時間の走行、歩行等激しい運動に使用することができる。
した靴。
【発明の効果】
【００２１】  請求項１に記載した発明により、ベルクロストッパー付き靴ひも式靴を履く場合、結紐する際にベルクロテープを固着させたストラップが邪魔になるのを防止することができる。
【００２２】  請求項２に記載した発明により、ストラップの一方の端部の裏面に固着したベルクロテープと契合するベルクロテープを、外側甲皮と同じ材料または異なる材料から成り、甲皮の補強効果を持つ腰に固着するので、ベルクロテープを繰り返し契合、解除しても耐久性が維持される。
【００２３】  請求項３に記載した発明により、ハイカットタイプの靴にすることにより、オートバイ乗車、運動、長時間の走行、歩行等激しい運動に使用する靴にも応用できる。
【００２４】  請求項４に記載した発明により、ベルクロテープ付きストラップを２本取り付けたので、靴紐による締結と、２本のベルクロテープ付きストラップによる締結により、ハイカットタイプの靴も足に確実に固定される。
【図面の簡単な説明】
【図１】本発明の１実施例の要部拡大図。
【図２】本発明の１実施例の使用状態を示す要部拡大図。
【図３】ベルクロテープ付きストラップを備えた靴の斜視図。
【図４】従来のベルクロテープ付きストラップを備えた靴の要部拡大図。
【符号の説明】
１  ベルクロテープ付きストラップを備えた靴
２  靴底
３  外側甲皮
４  内側甲皮
５  ストラップ
５’ストラップ
６  ストラップの一方の端部
７  ベルクロテープ
８  ストラップの他方の端部
８’ストラップの他方の端部
９  ベルクロテープ
１０  靴紐
１１  ベルクロテープ
１１’ベルクロテープ
１２  鳩目脇
１３  腰
【図１】
2005103205.tif 000003
【図２】
2005103205.tif 000004
【図３】
2005103205.tif 000005
【図４】
2005103205.tif 000006